(57)【要約】【課題】    RFID装置と組み合わせて、夜間の視認性を保持したアクティブ型またはパッシブ型のRFID装置に好ましく用いることが出来る電波透過性の再帰反射シートの供給。また、再帰反射式RFID装置に好ましく用いることの出来る電波透過性再帰反射シートであって、夜間の視認性を十分に確保できる優れた再帰反射性を兼備した電波透過性の再帰反射シートの供給にある。【解決手段】本発明における電波透過型再帰反射シートは、鏡面反射層の設置された再帰反射シートにおいて、該鏡面反射層が設置された鏡面反射領域が鏡面反射層が設置されていない非鏡面反射領域によって互いに電気的に絶縁され、独立した領域をなして繰返しのパターンで部分的に設置されており電波透過性を示す。【選択図】            図１
2007093629.tif 000002
【特許請求の範囲】
【請求項１】
鏡面反射層の設置された再帰反射シートにおいて、該鏡面反射層が設置された鏡面反射領域が鏡面反射層が設置されていない非鏡面反射領域によって互いに電気的に絶縁され、独立した領域をなして繰返しのパターンで設置されており、電波透過性を示すことを特徴とする電波透過性再帰反射シート。
【請求項２】
該非鏡面反射領域が、幅0.1〜1.5mmの直線状、屈曲線状または／および曲線状の線状領域からなることを特徴とする特許請求の範囲１に記載の電波透過性再帰反射シート。
【請求項３】
該線状領域が連結した領域を構成していることを特徴とする特許請求の範囲１または2に記載の電波透過性再帰反射シート。
【請求項４】
該鏡面反射領域の独立領域の形状が、独立領域の最長方向の外端長さ（L）とそれに直角な方向の外端長さ（S）とのアスペクト比（L/S）が2以上であることを特徴とする特許請求の範囲1〜3に記載の電波透過性再帰反射シート。
【請求項５】
該鏡面反射領域の独立領域の面積率が85〜99%であることを特徴とする特許請求の範囲1〜4に記載の電波透過性再帰反射シート。
【請求項６】
該再帰反射シートを構成する再帰反射素子が封入レンズ型再帰反射素子、カプセルレンズ型再帰反射素子またはキューブコーナー型再帰反射素子であることを特徴とする特許請求の範囲1〜5に記載の電波透過性再帰反射シート。
【請求項７】
該鏡面反射層を構成する鏡面反射層成分がアルミニウム、銀、ニッケル、および／または銅であることを特徴とする特許請求の範囲1〜6に記載の電波透過性再帰反射シート。
【請求項８】
該非鏡面反射領域を形成する領域が、再帰反射シートの一部であることを特徴とする特許請求の範囲1〜7に記載の電波透過性再帰反射シート。
【発明の詳細な説明】
【技術分野】
【０００１】
本発明は電波透過性の再帰反射シートに関する。詳しくは、鏡面反射層の設置された再帰反射シートにおいて、該鏡面反射層が設置された鏡面反射領域が鏡面反射層が設置されていない非鏡面反射領域によって互いに電気的に絶縁され、独立した領域をなして繰返しのパターンで設置されており、電波透過性を示すことを特徴とする電波透過性再帰反射シートに関する。
【０００２】
より詳しくは、該非鏡面反射領域が、幅0.1〜1.5mmの直線状、屈曲線状または／および曲線状の線状領域が連結した領域を構成していることを特徴とする電波透過性再帰反射シートに関する。
【０００３】
本発明における電波透過性の再帰反射シートは、電波認証装置（Radio Frequency
Identification装置、以降RFID装置と呼ぶ。）と組み合わせて、夜間の視認性を保持したRFID装置に好ましく用いることが出来る。
【背景技術】
【０００４】
再帰反射シートとRFID装置を組み合わせた再帰反射式RFID装置に関しては従来からいくつかの提案がなされている。
【０００５】
パントリによる特表平9−508983（特許文献１）には一体型再帰反射式電子表示装置が開示されている。この特許の記載によれば、視覚及び電磁情報通信用の再帰反射式装置であって、入射光を再帰反射するための、視覚情報を有した再帰反射シートにして、単層の再帰反射式微小球体群を一面に埋め込んで有するベースシートを具備し、該ベースシートか、該微小球体群の下方に透明材料を介して離間配置された光の正反射手段を備えてなる再帰反射シートと、電磁通信のためのアンテナ手段と、前記アンテナ手段への結合を可能にする結合手段、とを具備した装置が開示されている。
【０００６】
しかしながら、パントリの発明に好ましく用いることの出来る再帰反射シートに関する記載には、例えば、“電磁放射に対して不透過性でない新たな種類の再帰反射シートを使用でき、アンテナ網の接地面として再帰反射シートの連続した導電性反射層を使用できる”と記載されている。また、“ミネソタマイニングアンドマニュファクチャリングカンパニーによって製造された３Ｍブランドのスコッチライト反射シートの強力グレード等の、封入レンズの再帰反射シートを、電子ライセンスプレート２の再帰反射シートとして使用することができる”と記載されているがどのような再帰反射シートが好ましく用いることが出来るかに関しては開示されておらず、単に市販の再帰反射シートを用いたにすぎない。
【０００７】
さらに、パントリらによる特表平11−505050（特許文献2）には安全識別装置を有する電子ライセンスプレートが開示されている。この特許の記載によれば、複数の遠隔交通管理ステーションが電子ライセンスプレートと通信する電子車両通信装置に使用するための電子ライセンスプレート装置であって、視覚識別情報、および限定情報であって少なくとも１つのタイプの車両識別情報を含む限定情報であって前記遠隔ステーション又は車両によって変更することができない限定情報を保存するための識別手段を含むライセンスプレート、非限定的情報であって、少なくとも１つの遠隔ステーションまたは車両によって変更することができる非限定情報を保存するための情報手段、前記識別手段および前記情報手段に動作的に接続されて前記遠隔ステーションとの通信内容を処理するための通信手段、前記通信ステーションとの通信内容を送受信するためのアンテナ手段、車両に固定され、前記ライセンスプレート部分を、情報手段を交換することを必要とせずに交換するように、前記ライセンスプレート部分を車両に交換自在に取り付けるための取付手段を含む、電子ライセンスプレート装置が開示されている。
【０００８】
また、三村による国際公開公報WO-02/103629（特許文献３）には、集積回路を内蔵する集積回路モジュールと、光の再帰反射要素と、これらの担持層とからなることを特徴とする再帰反射性集積回路封入製品に関する発明が開示されている。
【０００９】
しかしながらいずれの発明においてもどのような構造を有した再帰反射シートが優れた電波透過性と再帰反射性が付与されて好ましく用いることが出来るのかは開示されていない。
【００１０】
特許文献
【特許文献１】バントリ、特表平09−508983
【特許文献２】パントリら、特表平11−505050
【特許文献３】三村、国際公開公報WO-02/103629
【特許文献４】ベリスレら、特開昭 59−071848
【特許文献５】ベリスレら、米国特許第4,721,649
【特許文献６】ベリスレら、米国特許第4,725,494
【特許文献７】マッケンジー、特公昭 40-007870
【特許文献８】マッケンジー、米国特許第 3,190,178
【特許文献９】マックグラス、特開昭 52−110592
【特許文献１０】マックグラス、米国特許第4,025,159
【特許文献１１】ベイリー、特開昭 62−121043
【特許文献１２】ベイリー、米国特許第5,064,272
【特許文献１３】ローランド、特表平 8−510415
【特許文献１４】ローランド、米国特許第5,376,272
【特許文献１５】三村等、国際公開公報 ＷＯ-01/057560
【特許文献１６】三村等、米国特許第6,817,724
【発明の開示】
【発明が解決しようとする課題】
【００１１】
本発明が解決しようとする課題は、RFID装置と組み合わせて、夜間の視認性を保持したアクティブ型またはパッシブ型のRFID装置に好ましく用いることが出来る電波透過性の再帰反射シートの供給にある。
【００１２】
本発明が解決しようとする他の課題は微弱電波を用いるRFID装置の通信において、微弱電波を効率よく透過することができる電波透過性の再帰反射シートの供給にあり、特に、パッシブ型RFID装置に好ましく用いることが出来る電波透過性の再帰反射シートの供給にある。
【００１３】
本発明の更なる課題は、再帰反射式RFID装置に好ましく用いることの出来る電波透過性再帰反射シートであって、夜間の視認性を十分に確保できる優れた再帰反射性を具備した電波透過性の再帰反射シートの供給にある。
【００１４】
かかる再帰反射式RFID装置を、車両ナンバープレート、サードプレート（車両ガラス窓に貼付する車両認識ステッカー）、または、交通標識などに用いる際は再帰反射装置としての再帰反射性能を確保することが求められる。本発明が解決しようとする課題は、RFID装置の通信性能を確保しつつ再帰反射性能の要求を満足できる電波透過性の再帰反射シートの供給にある。
【００１５】
本発明による再帰反射型RFID装置は、外部に設置されたRFID読取器との間で相互の通信アンテナを介して効率よく電波通信を達成することを可能とすることが目的である。
【課題を解決するための手段】
【００１６】
本発明における電波透過型再帰反射シートは、鏡面反射層の設置された再帰反射シートにおいて、該鏡面反射層が設置された鏡面反射領域が鏡面反射層が設置されていない非鏡面反射領域によって互いに電気的に絶縁され、独立した領域をなして繰返しのパターンで部分的に設置されており、電波透過性を示す。
【００１７】
鏡面反射層を独立した領域として部分的に設置する方法としては、あらかじめ全ての領域に鏡面反射層を設置した後に部分的に除去する方法や、部分的に鏡面反射層を設置する方法を採用することが出来る。
【００１８】
部分的に除去する方法としては、化学エッチング法、機械的な除去法、エネルギー線照射法、および化学反応法が採用できる。
【００１９】
化学エッチング法としては、鏡面反射層と反応して可溶性の塩として除去可能な各種の酸およびアルカリ類などのエッチング処理液を印刷、スプレーなどの方法で塗布して鏡面反射層を部分的に除去する方法が用いられる。エッチングの後には鏡面反射層を処理液の腐食から保護するために水洗を行うことが好ましい。また、処理液には印刷性やスプレー性を改善するための増粘剤などを添加する事が出来る。印刷の方法としてはグラビア印刷、フレキソ印刷、スクリーン印刷、インクジェット印刷などの公知の印刷方法を適宜採用することができるが、繊細な印刷パターンを得られやすいことからフレキソ印刷、グラビア印刷が特に好ましい。
【００２０】
機械的な除去法としては、非除去面を保護するマスクシートを積層した後にブラシ研磨、サンドブラストなどの方法で鏡面反射層を部分的に除去することが出来る。
【００２１】
エネルギー照射法としてはレーザー光線、電子線などの高エネルギー線を除去領域に連続的にスキャンすることによって鏡面反射材料を蒸気化して除去する方法が採用できる。この様なエネルギー線照射法は、好ましい非鏡面反射領域の形状を自由に、あるいは部分的に形成できるので特に好ましく用いることが出来る。
【００２２】
本発明の再帰反射シートにおいては、レーザー光線照射法が特に好ましく用いることができる。照射するレーザー光線としてはYAGレーザー、炭酸ガスレーザーなど各種のレーザー光源を用いることができるが光源を特に限定するものではない。また、レーザービームの径は非鏡面反射領域の幅に合わせて適宜調節できるし、場合によっては2回以上スキャンすることによってより幅の広い加工を行うこともできる。
【００２３】
レーザー加工は、再帰反射シートの表面反射層側から照射して鏡面反射層を除去することもできるが、接着剤層を積層する前の再帰反射シート裏面から鏡面反射層に直接レーザーを照射することが好ましい。
【００２４】
化学反応法としては鏡面反射材料と反応して非導電性の酸化物、塩類などを形成して導電性を喪失させる方法が採用できる。反応性の材料としては鏡面反射材料と反応する各種の酸やアルカリ化合物を用いることが出来る。
【００２５】
また、部分的に鏡面反射層を設置する方法としては、非鏡面反射領域を保護するマスクシートを積層した後に、真空蒸着法、スパッタリング法、化学メッキなどの方法で鏡面反射層を設置することが出来る。
【００２６】
本発明における該鏡面反射層が設置された鏡面反射領域は、鏡面反射層が設置されていない非鏡面反射領域によって互いに電気的に絶縁され、独立した領域をなして繰返しのパターンで部分的に設置されている。非鏡面反射領域によって互いに電気的に絶縁されていない場合には電波透過性が低下して好ましくない。
【００２７】
この様な非鏡面反射領域の設置される領域は、再帰反射型RFID装置の再帰反射部分全域に渡って設置されていても良いが、RFIDアンテナ装置の設置されている領域に部分的に設置されても良い。この様な部分的な設置の方法においては非鏡面反射領域はアンテナ装置の面積より大きく設置されていることが電波認識特性が優れているので好ましい。好ましくはアンテナの外周10mm以上が非鏡面反射領域であることが好ましく、さらに25mm以上であることがさらに好ましい。
【００２８】
本発明における非鏡面反射領域は、幅0.1〜1.5mmの直線状、屈曲線状または／および曲線状の線状領域が連結した領域を構成している。
【００２９】
非鏡面反射領域の幅が0.1mｍ未満の場合には鏡面反射領域間の電気絶縁性を保持することが困難となるために電波透過性が低下するために好ましくない。また、1.5mmを超える場合には、再帰反射性能が低下したり、夜間における再帰反射光がまばらになり外観が不均一になり好ましくない。従って、好ましい幅は0.1〜1.5mmであり、さらに好ましくは0.2〜1.0mmである。
【００３０】
該非鏡面反射領域の形状は直線状、屈曲線状、および／または曲線状の線状領域であり、これらの線状領域の組み合わせによって、独立した鏡面反射領域が残留する。
【００３１】
本発明における鏡面反射領域の独立領域の形状は、独立領域の最長方向の外端長さ（L）とそれに直角な方向の外端長さ（S）とのアスペクト比（L/S）が2以上であることが好ましい。
【００３２】
この様な大きなアスペクト比を持つ鏡面反射領域が設置された電波透過型再帰反射シートは、特にバーアンテナ、ダイポールアンテナなどの指向性の強い電波を発するような通信アンテナが設置されたRFID装置または外部読取器の場合には特に好ましい。
【００３３】
再帰反射シートの設置方向は、読取アンテナの設置方向と電波の指向方向によって変更されなければならない。アスペクト比が2未満の場合には読取性能が低下するので好ましくない。
【００３４】
反射領域の形状は直線状の非鏡面反射領域によって区切られた矩形であっても良い。この様な矩形の非鏡面反射領域の場合には用いられる再帰反射型RFID装置に設置される再帰反射シートの大きさによりアスペクト比が定まる。また、非鏡面反射領域が部分的に設置されている場合には、非鏡面反射領域の大きさによって定まる。
【００３５】
本発明における鏡面反射領域の独立領域の面積率が85〜99%であることが好ましい。
【００３６】
99％を超える場合には鏡面反射領域間の電気絶縁性を保持することが困難となるために電波透過性が低下するために好ましくない。また、85％未満の場合には、再帰反射性能が低下したり、夜間における再帰反射光がまばらになり外観が不均一になり好ましくない。従って、好ましい面積率は85〜99％であり、さらに好ましくは88〜98％である。
【００３７】
本発明における再帰反射シートを構成する再帰反射素子は封入レンズ型再帰反射素子、カプセルレンズ型再帰反射素子またはキューブコーナー型再帰反射素子を採用することが出来る。
【００３８】
本発明に用いることの出来る再帰反射素子およびそれにより形成される再帰反射シートは、それ自体公知の方法で製造することができ、特に限定されることはない。
【００３９】
これらの再帰反射素子には鏡面反射層が設置されており、入射した光を効率よく鏡面反射することができる。
【００４０】
また、本発明における鏡面反射層を構成する鏡面反射層成分はアルミニウム、銀、ニッケル、および／または、銅が好ましく用いることができ、特にアルミニウムがシートの外観を明るくすることができるので好ましく用いられる。
【００４１】
これらの鏡面反射成分は真空蒸着、スパッタリングおよび化学メッキ法などの方法で設置する事ができ、特に、真空蒸着法が好ましく用いることができる。
【００４２】
好ましい鏡面反射層の厚さは0.05〜2μｍである。また、鏡面反射層は1層であっても良いが前記の成分を2層以上積層することも可能である。
【発明の効果】
【００４３】
本発明における電波透過性再帰反射シートはアクティブ型またはパッシブ型RFID装置と組み合わせて、夜間の視認性を保持した再帰反射型RFID装置に好ましく用いることが出来る。
【００４４】
また微弱電波を用いるRFID装置の通信において、微弱電波を効率よく透過することができる、特に、パッシブ型RFID装置に好ましく用いることが出来る。
【００４５】
さらに、電波透過性再帰反射シートであって夜間の視認性を十分に確保できる優れた再帰反射性を有している。
【００４６】
かかる再帰反射式RFID装置を、車両ナンバープレート、サードプレート（車両ガラス窓に貼付する車両認識ステッカー）、または、交通標識などに用いる際は再帰反射装置として用いた際に、RFID装置の通信性能を確保しつつ再帰反射性能の要求を満足することができる。
【発明を実施するための最良の形態】
【００４７】
本発明による電波透過型再帰反射シートの好ましい形態を図を引用しつつ以下に説明を行う。
【００４８】
図１〜５は本発明における非鏡面反射領域（1）と鏡面反射領域（2）を示す平面図である。（1）は非鏡面反射領域を示しており、幅0.1〜1.5mmの直線状、屈曲線状または／および曲線状の線状領域が連結した領域を構成していることが示されている。また、（2）は鏡面反射領域を示しており、該鏡面反射領域が鏡面反射層が設置されていない非鏡面反射領域によって互いに電気的に絶縁され、独立した領域をなして繰返しのパターンで部分的に設置されていることが示されている。
【００４９】
図1においては非鏡面反射領域（1）が波型の曲線が互いに重なり合って鏡面反射領域（2）を独立領域として形成していることが示されている。
【００５０】
図２においては非鏡面反射領域（1）が矩形線により構成され六角形の鏡面反射領域（2）を独立領域として形成していることが示されている。
【００５１】
図３においては非鏡面反射領域（1）が矩形線により構成され略正方形の鏡面反射領域（2）を独立領域として形成していることが示されている。
【００５２】
図４においても非鏡面反射領域（1）が矩形線により構成され六角形の鏡面反射領域（2）を独立領域として形成していることが示されている。図4に示される六角形の鏡面反射領域の独立領域の形状は、独立領域の最長方向の外端長さ（L）とそれに直角な方向の外端長さ（S）とのアスペクト比（L/S）が2.5となるように形成されている。
【００５３】
図５においては非鏡面反射領域（1）が直線により構成され長方形の鏡面反射領域（2）を独立領域として形成していることが示されている。図5における長方形の鏡面反射領域はシートの両端部まで連続して連なっており非常に大きなアスペクト比を持っている。
【００５４】
図6には本発明の好適な態様である封入レンズ型再帰反射シートにおいて、鏡面反射層（14）の一部が部分的に存在せず非鏡面反射領域（15）が形成されていることが示されている。
【００５５】
図７には本発明の他の好適な態様であるキューブコーナー型再帰反射シートにおいて、鏡面反射層（23）の一部が部分的に存在せず非鏡面反射領域（24）が形成されていることが示されている。
【００５６】
図８には図2に示された六角形状の鏡面反射領域を持った本発明における再帰反射シートにおいて、隣り合った六角形の間隔がP、非鏡面反射領域の幅がWとして示されている。
【００５７】
図９には図5に示された長方形の鏡面反射領域をもった本発明における再帰反射シートとRFIDタグとの位置関係が示されている。図9（A）においては長方形の長辺方向とタグの長手方向が同じ方向を向いて設置されており、（B）においては互いに直角となるように設置されていることが示されている。
【００５８】
本発明に用いることのできる鏡面反射層が設置された再帰反射シートの具体的な態様に関しては以下の文献の記載を参考にすることができるが、これらに限定されない。いずれのタイプの再帰反射シートにおいても上記に開示した非鏡面反射領域を設置する方法を用いて、適宜、非鏡面反射領域を設置することができる。
【００５９】
封入レンズ型再帰反射シートの例としては、ベリスレらの特開昭59−071848号公報（特許文献4）およびその対応米国特許第4,721,649号明細書（特許文献5）および米国特許第4,725,494号明細書（特許文献6）に記載されている。
【００６０】
また、カプセルレンズ型再帰反射シートの例としては、マッケンジーの特公昭40−007870号公報（特許文献7）およびその対応米国特許第3,190,178号明細書（特許文献8）、マックグラスの特開昭52−110592号公報（特許文献9）およびその対応米国特許4.025，159号明細書（特許文献10）、およびベイリーらの特開昭62−121043号公報（特許文献11）およびその対応米国特許第5,064,272号明細書（特許文献12）等に記載されている。
【００６１】
さらに、鏡面反射層の設置されたキューブコーナー再帰反射シートとしては、ローランドの特表平８−510415号公報（特許文献13）およびその対応米国特許第5,376,431号明細書（特許文献14）、三村らのＷＯ01／057560号公報（特許文献15）およびその対応米国特許第6,817,724号明細書（特許文献16）等に記載されている。
【実施例】
【００６２】
以下、実施例により本発明の詳細を更に具体的に説明するが、本発明は実施例にのみ限定されるものでないことはいうまでもない。
【００６３】
＜再帰反射係数の測定＞  
実施例をはじめ本明細書に記載の再帰反射係数は以下で述べる方法で測定されたものである。再帰反射係数測定器として、ガンマーサイエンティフィック社製「モデル920」を用い100ｍｍ×100ｍｍの測定試料の再帰反射係数をASTM  E810−91に準じて、観測角0.2°、入射角5°の角度条件で、5回測定し、その平均値をもって再帰反射物品の再帰反射係数とした。
【００６４】
＜RFID装置による電波認識率の測定＞
シングルチップシステム社製パッシブ型RFIDタグのHDTタイプを測定試料の背面に粘着シートを用いて密着させて設置し、さらに厚さ9mmのガラス板を測定試料の表面に同じく粘着シートを用いて設置して電波認識率測定用試料とした。この測定用試料に同社製のU519型スキャナーおよび波長915MHｚで利得10dbiのYAGIアンテナを用いて米国電波規格FCC
Part15規格の条件で500回の電波信号を発信して応答のあった回数より電波の認識率を求めた。
【００６５】
＜独立した鏡面反射領域間の電気絶縁性の測定＞
市販の電気抵抗測定用テスターを用いて2つの独立した鏡面反射領域間の電気導電性を10組所測定した。電気伝導性の判断としてはテスターによる電気抵抗が１０００Ω以内の値を示す場合を電気導電性があると評価した。10箇所とも電気導電性がない試料を絶縁性試料と評価し、5箇所以上が電気導電性がある場合を半絶縁性試料と評価し、10箇所とも電気導電性がある場合は非絶縁性試料とした。
【００６６】
まず、測定に当たり試料番号1として再帰反射シートの代わりに75μｍのポリエチレンテレフタレート製のフイルムをRFIDタグの前面に積層した測定試料、および試料番号2として非鏡面反射領域が設置されていない通常の再帰反射シート（日本カーバイド工業株式会社製封入レンズ型再帰反射シート、ニッカライトＭＬＧ）を用いた測定試料の電波認識率と再帰反射係数を測定して表1に示す。試料1は樹脂製の材料であるので絶縁性の材料であり、試料2は全面にわたってアルミニウム製の鏡面反射層が設置されているので任意の2点間での導電性があり非絶縁材料であった。
【００６７】
試料番号１はいずれの読取距離においても優れた認識率を示したのに対して、非鏡面反射処理の施されていない従来公知の試料を用いた試料番号2においてはいずれの読取距離においても電波の認識はできなかった。
【００６８】
【表１】
2007093629.tif 000003
【００６９】
次に、日本カーバイド工業株式会社製封入レンズ型再帰反射シート、ニッカライトＭＬＧの接着剤層が設置されていない鏡面反射層面をレーザー加工法により、図2に示される正六角形の形状に非鏡面反射処理化を行った試料10〜24を作成して、上記の方法で測定を行った。表2にはこれらの試料の形状が示されている。表2における中心間隔は図8に示される六角形状を説明する図のPとして示されている。また、非鏡面反射領域の線幅は図8のWとして示されている。また、これらの試料の鏡面反射領域の面積率が反射領域面積率として示されている。
【００７０】
これらの試料10〜24の認識率と再帰反射係数が同じく表2に示されている。線幅が0.20mmの試料10〜14は優れた認識率を示しており、反射領域面積率が減少すると共に認識率は改善されている。しかしながら再帰反射係数の変化は微小であった。各試料ともいずれも絶縁性試料であった。
【００７１】
また、線幅が0.10mmの試料15〜19は同様に優れた認識率を示しており、反射領域面積率が減少すると共に認識率は改善されている。しかしながら再帰反射係数の変化は微小であった。各試料ともいずれも絶縁性試料であった。
【００７２】
一方、線幅が0.05mmの試料20〜24においては、いずれの反射領域面積率においても電波を認識することはできなかった。各試料ともいずれも非絶縁性試料であった。
【００７３】
【表２】
2007093629.tif 000004
【００７４】
同じく日本カーバイド工業株式会社製封入レンズ型再帰反射シート、ニッカライトＭＬＧの接着剤層が設置されていない鏡面反射層面をレーザー加工法により図5に示されるような長方形の鏡面反射領域を設置した。表3において試料30a〜37aは図９の（B）に示されるような長方形の鏡面反射領域をもった本発明における再帰反射シートとRFIDタグとの位置関係が直角となるように設置されている。また、試料30b〜37bにおいては互いに平行となるように設置されている試料の非鏡面反射領域の中心間隔と線幅、および鏡面反射領域の面積率が示されている。
【００７５】
同じく表3には、これらの長方形の鏡面反射領域を持った再帰反射シートの各距離における認識率と再帰反射係数の測定値が示されている。いずれの試料も優れた再帰反射係数を持っている。また、いずれの試料も絶縁性材料と判断された。
【００７６】
試料30a〜37aは長方形の鏡面反射領域をもった本発明における再帰反射シートとRFIDタグとの位置関係が直角となるように設置されているので、優れた認識率を示している。線幅が0.20mmの試料30a〜33aは線幅が0.05mmの試料34a〜37aに比べ全体として優れた認識率を示している。
【００７７】
また、同じ線幅の試料群の中でも非鏡面反射領域の中心間隔が小さく反射領域面積率の小さな試料ほど長い読取距離においても良好な認識率を示した。
【００７８】
一方、試料30b〜37bにおいては互いに平行となるように設置されており、いずれの試料においても電波を認識することができなかった。
【００７９】
従って、この様な長方形の鏡面反射領域を持った電波透過性の反射シートにおいては本発明による電波透過性の再帰反射シートとRFIDタグのアンテナの設置方向を直角となるように設置することが重要であり、平行に設置した場合には、たとえ非鏡面反射領域の形状が適切に形成されていても好ましい電波認識性能を得ることができない。
【００８０】
【表３】
2007093629.tif 000005
【産業上の利用可能性】
【００８１】
本発明における再帰反射シートはRFID装置と組み合わせて、夜間の視認性を保持したRFID装置に好ましく用いることが出来る。
【００８２】
さらに、本発明における再帰反射シートは微弱電波を用いるRFID装置の通信において、微弱電波を効率よく透過することができる電波透過性の再帰反射シートで有って、特に、パッシブ型RFID装置に好ましく用いることが出来る。
【００８３】
さらに、本発明における再帰反射シートは、かかる再帰反射式RFID装置を、車両ナンバープレート、サードプレート、または、交通標識などに用いることが出来る。
【図面の簡単な説明】
【００８４】
【図１】本発明における非鏡面反射領域と鏡面反射領域を示す平面図。
【図２】本発明における非鏡面反射領域と鏡面反射領域を示す平面図。
【図３】本発明における非鏡面反射領域と鏡面反射領域を示す平面図。
【図４】本発明における非鏡面反射領域と鏡面反射領域を示す平面図。
【図５】本発明における非鏡面反射領域と鏡面反射領域を示す平面図。
【図６】本発明における封入レンズ型再帰反射シートを示す断面図。
【図７】本発明におけるキューブコーナー型再帰反射シートを示す断面図。
【図８】本発明における非鏡面反射領域と鏡面反射領域を示す平面図。
【図９】本発明における非鏡面反射領域と鏡面反射領域とタグの関係を示す図。
【符号の説明】
【００８５】
1：        非鏡面反射領域
2：        鏡面反射領域
10：        表面保護層
11：         保持層
12：        ガラス球
13：        焦点形成層
14：        鏡面反射層
15：        非鏡面反射領域
16：        接着剤層
20：        表面保護層
21：        プリズム保持層
22：        プリズム層
23：        鏡面反射層
24：        非鏡面反射領域
25：        接着剤層
【図１】
2007093629.tif 000006
【図２】
2007093629.tif 000007
【図３】
2007093629.tif 000008
【図４】
2007093629.tif 000009
【図５】
2007093629.tif 000010
【図６】
2007093629.tif 000011
【図８】
2007093629.tif 000012
【図９】
2007093629.tif 000013
【図７】
2007093629.tif 000014